Podtech/llm-jp-corpus-v4-ja_patent huggingface dataset:
(57)【要約】      （修正有）【課題】健康増進やスポーツでの怪我の予防、スポーツ障害のリハビリテーション効果に優れたストレッチング用補助器具を提供する。【解決手段】基台２と該基台の前部上方側に設置した前足部乗せ台３と該基台の後部上方側に設置した踵部乗せ台４を有し、該前足部乗せ台の上面は平面に形成され、該踵部乗せ台の上面は平面であるが、側面側から中央に向けて谷状に下降傾斜を設けることを特徴とする。【選択図】図１
2009112738.tif 000002
【特許請求の範囲】
【請求項１】
基台と、該基台の前部上方側に設置した前足部乗せ台と、該基台の後部上方側に設置した踵部乗せ台とを有し、該前足部乗せ台の上面は平面で水平に形成され、該踵部乗せ台の上面は平面であるが、側面側から中央に向かって下降傾斜がついていることを特徴とするストレッチング補助器具。
【発明の詳細な説明】
【技術分野】
【０００１】  本発明は、ストレッチング補助器具に関するものであり、さらに詳しくは足関節周囲および足部内の筋群や腱群を伸展させる際に用いるストレッチング補助器具に関する。
【背景技術】
【０００２】  足関節周囲の筋群、特にふくらはぎの筋肉は第２の心臓とも呼ばれ、ストレッチングすることによる健康法は一般的にも知られている。また、スポーツにおいても足関節周囲の筋群をストレッチングすることは、アキレス腱の断裂や足関節捻挫の予防に有効とされ、広く知られ行なわれている。さらに、医療施設内におけるリハビリテーションにおいても、足関節捻挫やアキレス腱炎、アキレス腱断裂再建後には足関節周囲の筋群をストレッチングすることが処方され、ストレッチング補助器具を用いたストレッチングが行なわれている。【０００３】  このような背景から、医療施設内に限らず、スポーツ現場や家庭内でも足関節の筋肉のストレッチングを行なうためのストレッチング補助器具が多く開発されている（例えば、特許文献１〜３。）。【０００４】
【特許文献１】特開平１１−２９９９２６号公報
【特許文献２】特開２００３−２９９７４９号公報
【特許文献３】特開２００３−３１０７９９号公報
【０００５】  これら特許文献１〜３に記載のストレッチング補助器具以外にも、水平面に対してつま先上がりの傾斜角を有する足台に使用者が乗るだけで、アキレス腱を代表とするふくらはぎの筋群を手軽に効果的なストレッチングを行なえることから、広く普及し、多くの愛用者がいる。
【発明の開示】
【発明が解決しようとする課題】
【０００６】  しかしながら、従来のストレッチング補助器具の足乗せ台部はつま先上がりに平面に形成されているため、足関節の真後ろにあるアキレス腱のストレッチングはできるが、アキレス腱より内側や外側にある筋群や、さらに足底部にある筋群へ伸張ストレスをかけることができず、アキレス腱以外のストレッチングは困難であった。【０００７】  また、強度や耐久性を確保するためには構成部品の点数が増え、作業工程や材料費がかかり、安価に提供することが難しい。【０００８】  本発明は、上述のような実情に鑑みてなされたもので、足関節周囲の筋群および足底部の筋群の優れたストレッチング効果を発揮し、かつ、所望の筋群のストレッチングを可能にしたストレッチング補助器具を、構成を簡素化し、作業工程も少なくして、強度や耐久性を確保しながらも安価に提供することを目的としている。
【課題を解決するための手段】
【０００９】  前述目的を達成するために、本発明は基台と該基台の前部上方側に設置した前足部乗せ台と後部上方側に設置した踵部乗せ台を有し、該前足部乗せ台の上面は平面に形成され、該踵部乗せ台の上面は平面であるが、側面側から中央に向けて谷状に下降傾斜を設けることを特徴とするものである。【００１０】  前記のように構成した本発明によれば、使用者が前足部を前足部乗せ台に乗せ、踵を踵乗せ台の左右どちらかの斜面部に乗せることにより、前足部と踵部がねじれた状態で固定され、使用者は足裏および足関節の内側部もしくは外側部にストレッチングストレスをかけることができ、所望の筋群のストレッチングを行なうことができる。
【発明の効果】
【００１１】  本発明を使用することによって次のような効果を得られる。（１）アキレス腱とアキレス腱より内側や外側にあるアキレス腱以外の筋群も任意で個別にストレッチングすることができる（２）構成を簡素化し、部品を少なくすることで、作業工程も少なくできるため、強度と耐久性を確保しつつ、安価に提供することができる。
【発明を実施するための最良の形態】
【００１２】  以下、添付図面を参照して、本発明の好ましい実施の形態について説明する。勿論、下記実施例は、本発明の実施するための好ましい最良の形態を説明するに過ぎず、本発明の技術的範囲は、下記実施例そのもの（例えば、形状や材質、数量、角度等）に何ら限定されるものではない。【００１３】    図１は、実施例１に係る本発明のストレッチング補助器具１を示す略斜視図であり、このストレッチング補助器具１は、基台２、前足部足乗せ台３、踵部乗せ台４からなり、さらに図２のように、該前足部足乗せ台３と該踵部乗せ台４に段差をつけ、かつ該踵部乗せ台４は中央を底部とする谷状に設けるように構成されたものである。【００１４】    また、図３は、該ストレッチング補助器具１における使用状態の一例を示す略斜視図である。
【産業上の利用可能性】
【００１５】  健康法として第２の心臓とも呼ばれるふくらはぎの筋肉に加え、足関節周囲の筋群もストレッチングすることができる。また、スポーツにおいては足関節周囲の筋群をストレッチングすることは、アキレス腱の断裂や足関節捻挫の予防として行なうことができる。さらに、医療施設におけるリハビリテーションにおいても、足関節捻挫をはじめアキレス腱断裂再建後の対策として足関節周囲の所望の筋群を任意で個別にストレッチングすることができる、ストレッチング補助器具として利用できる。
【図面の簡単な説明】
【００１６】
【図１】図１は、実施例１に係る本発明のストレッチング補助器具を示す略斜視図である。
【図２】図２は、実施例１に係る本発明のストレッチング補助器具を示す後方面図である。
【図３】図３は、実施例１に係る本発明のストレッチング補助器具の使用状態の一例を示す略斜視図である。
【符号の説明】
【００１７】１．ストレッチング補助器具
２．基台
３．前足部足乗せ台
４．踵部足乗せ台
５．使用者
【図１】
2009112738.tif 000003
【図２】
2009112738.tif 000004
【図３】
2009112738.tif 000005
(57)【要約】【課題】深夜及び夏季時自声発生で周辺、隣人への迷惑をかける恐れある場合人体の口及び口鼻と両耳とを一体化した発生装置を装着しての使用を提供する。【解決手段】防音マスクに両耳へのサポートコ−ドを接続する孔と空気調整操作弁装具を設け、手を使わなくても良いように耳かけ及びヘッドギヤの併用器具にて、マスクを人体の口及び口鼻を覆い、そして両耳に吸音器具を設けて、これとを繋ぐ一体式の音声伝達を特徴とする。【選択図】図２
2009112740.tif 000002
【特許請求の範囲】
【請求項１】
（イ）人体の口及び口鼻と両耳とを一体化した発生装置とする。
（ロ）口鼻一体化した防音マスクは、必要により酸素吸入器接続装置付きとする。
（ハ）耳宛器具に音声器具を取り入れて、一体化した復唱発生装置とする。
（ニ）防音マスク、耳宛器具、接続コ−ド、ヘッドギヤ、耳かけヒモ等の大きさ、形状、構造機構、材質、色彩、重さについては限定しない。
【発明の詳細な説明】
【技術分野】
【０００１】この発明は、人体の口及び口鼻を覆い隠す防音マスクと両耳とを繋ぐ一体式の自声外漏れ防止及び自声低音発生でも充分音声明瞭で自声確知が出来るものである。
【背景技術】
【０００２】従来カラオケ等については、耳から音声を聞き防音マスクにて外漏れを防止する方法はありました。
【発明の開示】
【発明が解決しようとする課題】
【０００３】これは、次のような欠点があった。
周辺への音声防音は出来るが、防音マスク単独の為、今回の意図する課題とは異なっており、本発明はこれらの欠点をなくすため及び意図を補うためになされたものである。
【課題を解決するための手段】
【０００４】防音マスクに両耳へのサポートコ−ドを接続する孔と空気調整操作弁装具（口鼻一体防音マスクの場合は此処から酸素吸入接続装具付け）を設け、手を使わなくても良いように耳かけ及びヘッドギヤの併用器具にて、マスクを人体の口及び口鼻を覆い、そして両耳に吸音器具を設けて、これとを繋ぐ一体式の音声伝達装置である。
【発明の効果】
【０００５】人体の口及び口鼻と両耳とが一体になっているので、特に深夜及び夏季時自声発生で周辺、隣人への迷惑騒音阻止出来ると共に、耳への同時音声伝達により低音でも充分に音声明瞭で自声確知の効能が発揮出来るため復唱暗記等に効果が倍増され役立つ事が出来る。
【発明を実地するための最良の形態】
【０００６】以下。本発明を実地するための最良の形態について説明する。
防音マスク（１）に空気調整操作弁装具（口鼻一体防音マスクの場合は此処から必要により酸素吸入接続器具装着）を設け、又適所位置に耳への接続コ−ドの孔を設けて、これに接続コ−ド（３）差込みして両耳への伝達器具（２）とを繋ぐ様にしたものとする。また手を使わなくても良いようにヘッドギヤ（４）及び耳かけ（５）の併用冶具にて、マスクを人体の口及び口鼻に装着する。
両耳への伝達器具装置は、ヘッドホ−ン、イヤホ−ン及び聴診器スタイルの差込器具等色々選別出来るようにする。
【図面の簡単な説明】
【０００７】
【図１】  本発明の正面図である。
【図２】  本発明の斜視図である。
【符号の説明】
【０００８】  １      防音マスク
２      耳への伝達器具
３      接続コ−ド
４      ヘッドギヤ
５      耳かけヒモ
【図１】
2009112740.tif 000003
【図２】
2009112740.tif 000004
(57)【要約】      （修正有）【課題】１車椅子用専用車は高価すぎて持てない者が多い。２専用車は地面からしか乗れない。３寝たきりになると車椅子にも乗れず見捨てられたに等しい。などを解決するため、車椅子を改造しない一般の自動車又は住宅の縁側から地面に降りないで乗降出来るようにした装置を提供する。【解決手段】昇降機１で車椅子を住宅の縁側又は車輌の床の高さまで上げ、昇降機の腕足元の車輪３を地面又は床に接しさせることにより移動が簡単に出来尚且つ必要以上の材料を省き軽量化した。また、引出し橋２を設け車輌又は住宅の縁側の障害物を乗越え、ジャッキー１０のストロークヘッドの位置を腕足の中心より８ｃｍ上の位置に繋ぐことでストロークの運動を少なくする。【選択図】図１３
2009112744.tif 000002
【特許請求の範囲】
【請求項１】
昇降用腕足元車輪を地面又は床に接する。
【請求項２】
昇降機へ車椅子の乗り降りに段差を無くす為羽橋を組込み込み羽橋は簡単に取り外し出来る。
【請求項３】
ジャッキーの動力は充電自動油圧式である。
【請求項４】
携帯用で一般サイズは３０キログラム以下である。
【請求項５】
昇降機から車輌又は住宅に乗り込めるよう昇降機の羽橋に引出し橋を取付けた。
【発明の詳細な説明】
【技術分野】
【０００１】（１）車椅子を改造しない一般の自動車又は住宅の縁側から地面に降りないで乗降出来るようにした。
（２）簡単に移動が出来るようにした。
【背景技術】
【０００２】（１）車椅子が住宅から車輌に乗込む時従来は一旦地面に降りなければならなかった。
（２）車椅子は専用車にしか乗れず経済負担が大きかった。
【発明の開示】
【発明が解決しようとする課題】
【０００３】（１）住宅の縁側から地面に降りないで車輌に乗込めるようにしたい。
（２）搬送の障害者の経済負担を軽減したい。
（３）救急車も専用車も数が少なく災害時一般車に乗れることで助けたい。
（４）昇降機の軽量化と移動を簡単にしたい。
（５）昇降機の羽橋の長さを伸縮し車輌及び住宅の障害物を乗越えられるようにしたい。
（６）昇降機のジャッキーストロークの運動を少なくしたい。
（７）昇降機を車椅子の下に収納できるようにしたい。
【課題を解決するための手段】
【０００４】（１）昇降機で車椅子を住宅の縁側又は車輌の床の高さまで上げる。
（２）昇降機の腕足元の車輪を地面又は床に接しさせることにより移動が簡単に出来尚且つ必要以上の材料を省き軽量化する。
（３）引出し橋を設け車輌又は住宅の縁側の障害物を乗越える。
（４）ジャッキーのストロークヘッドの位置を腕足の中心より８ｃｍ上の位置に繋ぐことでストロークの運動を少なくする
【発明の効果】
【０００５】車椅子は改造車でない一般車に又住宅の縁側から下に下りずに乗れ早くしかも障害者の経済負担を軽減できる。
【発明を実施するための最良の形態】
【０００６】（１）昇降機は車椅子とそれに乗る障害者の重量を考慮して普通１２０キログラムに耐えられるよう強靭にする為とコンパクトにするためステンレス材とする。
（２）スムーズな昇降を保つ必要から自動にする。
（３）移動しやすいようにする為と車椅子の下に収納するため腕足元車輪の直径を１０ｃｍとする。
（４）羽橋は安全且つ取り外しを容易にするため嵌め込みにする。
（５）引出し羽橋により車椅子の移動をスムーズ行えるようににし更に羽橋を引っ込めた時コンパクトになる。
（６）昇降機のテーブルの上昇速度は毎秒２ｃｍとする。
（７）腕足元車輪はブレーキ着きにし不動を保つ。
（８）腕足元車輪左右の間隔は最大限とし揺れないようにする。
（９）普通サイズの昇降機の総重量は３０キログラム以内とする。
【実施例１】
【０００７】図１の車輌の床の高さ迄で昇降機の羽橋が上るまでテーブルを充電自動油圧ジャッキーにより上昇させ羽出橋を引出して車輌に繋いだ右側斜視図に示す。
【実施例２】
【０００８】図１３の住宅の縁側の高さ迄で昇降機の羽橋が上るまでテーブルを充電自動油圧ジャッキーにより上昇させ羽橋を引出して縁側に繋いだ右側斜視図に示す。
【実施例３】
【０００９】図２の引出し羽橋を引っ込め昇降機のテーブルを充電自動油圧ジャッキーにより下降させ羽橋の開いている平面図（車椅子が昇降機に乗込める状態）に示す。
【実施例４】
【００１０】図４のテーブルを下げ羽橋を開き車椅子が昇降機に乗込める状態の背面図に示す。
【実施例５】
【００１１】図７の車椅子が乗込める状態を充電自動油圧ジャッキーによりテーブルを７０ｃｍ程上げた状態の背面図に示す。
【産業上の利用可能性】
【００１２】昇降機を使うことによって改造された専用車に頼らず一般の車輌を使えるので障害者の経済的負担が軽減され沢山の障害者や患者が助かるり一般車の利用価値も高まる。
【図面の簡単な説明】
【００１３】
【図１】昇降機の充電自動油圧ジャッキーにより車輌の床の高さに羽橋が合うまでテーブルを上げ引出し橋を引出し車輌に繋いだ右側斜視図。
【図２】引出し橋を引っ込めて羽橋を開きテーブルを充電自動油圧ジャッキーで下げた状態の平面図。
【図３】テーブルを下げ羽橋を開き引出し橋を引込めてある右側面図。
【図４】テーブルを下げ羽橋を開き車椅子の乗れる状態の背面図。
【図５】羽橋及び充電自動油圧ジャッキーの取付けてない本体図。
【図６】引出し橋を引込め羽橋を取付け開きテーブルを充電自動油圧ジャッキーで上げた右側面図。
【図７】羽橋を取り付け開きテーブルを上げた背面図。
【図８】羽橋に取り付けられた引出し橋の左側正面図。
【図９】羽橋右側背面図（背面には引出し橋は着かない）。
【図１０】羽橋取付け部分一箇所の平面図。
【図１１】羽橋取付け部分一箇所の内側側面図。
【図１２】充電自動油圧ジャッキーの内面図。
【図１３】昇降機の充電自動油圧ジャッキーにより住宅の縁側の高さに羽橋が会うまでテーブルを上げ引出し橋を引き出して縁側に繋いだ左側斜視図。
【符号の説明】
【００１４】
2009112744.tif 000003
足元車輪、符号４はテーブル枠、符号５は上腕車輪、符号６は腕足の中心ボルト、符号７は上腕シャフト、符号７−ａは腕足元シャフト、符号８は腕足外棒、符号９は腕足内棒、符号１０は充電自動油圧シリンダー、符号１０−ａは油圧ストローク、符号１０−ｂは充電動力枠、符号１１は油圧ストローク受けシャフト、符号１２は油圧用オイルタンク。
【図１】
2009112744.tif 000004
【図２】
2009112744.tif 000005
【図３】
2009112744.tif 000006
【図４】
2009112744.tif 000007
【図５】
2009112744.tif 000008
【図６】
2009112744.tif 000009
【図７】
2009112744.tif 000010
【図８】
2009112744.tif 000011
【図９】
2009112744.tif 000012
【図１０】
2009112744.tif 000013
【図１１】
2009112744.tif 000014
【図１２】
2009112744.tif 000015
【図１３】
2009112744.tif 000016
(57)【要約】【課題】    フローリングワイパーの使用時に、幅木の上のホコリや床の隅のホコリやチリを掃いて拭く、掃けるフローリングワイパーを提供する。【解決手段】  長方形のヘッドプレートの短い辺の一方にブラシを装着し、他の短い辺にパイプを着脱自在に取り付けるキャッチ部を設けたことを特徴とするフローリングワイパー。【選択図】図１
2009112741.tif 000002
【特許請求の範囲】
【請求項１】
長方形のヘッドプレートの短い辺の一方にブラシを装着し、他の短い辺にパイプを着脱自在に取り付けるキャッチ部を設けたことを特徴とするフローリングワイパー。
【請求項２】
ブラシを長い辺の一方に装着した請求項１の記載のフローリングワイパー。
【発明の詳細な説明】
【技術分野】
【０００１】  本発明は、幅木の上のホコリや床の隅のホコリやチリを掃いて拭き取り掃除をする、掃けるフローリングワイパーに関するものである。
【技術背景】
【０００２】  従来は、シートをつけて平滑な場所を拭いていた。またはみ出ているシート部分で幅木の上や床の隅を拭いていた。
【発明の開示】
【発明が解決しようとする課題】
【０００３】そのために次のような問題点があった。
（イ）幅木の上のホコリや床の隅のホコリやチリはきれいに取れなかった。
（ロ）戸やサッシのレールの凹面や床の角のホコリやチリの掃除は、ブラシや箒が必要だった。
（ハ）天井を掃除するときは、煤やくもの巣を払いづらかった。
本発明は、以上の問題点を解決するためになされたものである。
【課題を解決するための手段】
【０００４】  ヘッドプレート（１）の短い一片にブラシ（２）を装着し、他の短い辺にパイプ（３）を着脱自在に取り付けるキャッチ部（４）を設け、パイプ（３）をブラシのない側に倒しキャッチ部で固定して、箒のように掃くことができるようにしたことを特徴とする掃けるフローリングワイパーである。
【発明の効果】
【０００５】  幅木の上のホコリや床の隅のホコリやチリを掃きながら、床を拭くことができ、戸やサッシのレールの凹面のホコリやチリも掃ける。また天井掃除も煤やくもの巣を払って拭き掃除ができる。
【発明を実施するための最良の形態】
【０００６】以下、本発明の実施の形態について説明する。
（イ）ヘッドプレート（１）の短い一辺にブラシ（２）を装着する。
（ロ）ブラシ側の反対の辺に、パイプ（柄）（３）を固定するキャッチ（４）を装着する。
本発明は以上のような構造で、これを使用するときは、シート（５）をブラシが使えるように取り付け、パイプ（柄）（３）を伸縮部（６）によって長さを決めて、掃くときはパイプ（柄）（３）をヘッドプレート（１）側に倒し、キャッチ（４）で固定して使用する。  拭くときはキャッチ（４）からパイプ（柄）（３）をはずして使用する。
【図面の簡単な説明】
【０００７】
【図１】本説明の斜視図
【図２】本説明の箒としての使用状態を示す側面図
【図３】本説明の箒としての使用状態を示す斜視図
【符号の説明】
【０００８】    １  ヘッドプレート
２  ブラシ
３  パイプ
４  キャッチ部
５  シート
６  伸縮部
７  グリップ
８  クッション
【図１】
2009112741.tif 000003
【図２】
2009112741.tif 000004
【図３】
2009112741.tif 000005
(57)【要約】      （修正有）【課題】あかすり機能のついた温浴タオルを提供する。【解決手段】布面に輪奈を出した、形状がＷ８４０ｍｍ×Ｈ３４５ｍｍ×厚み２ｍｍで、綿１００パーセントからなる織物布１の表面に、形状がＷ２７０ｍｍ×Ｈ２９０ｍｍ×厚み１ｍｍで、ポリエステル８０パーセント＋ナイロン２０パーセントからなり、耐熱温度９５℃のあかすり布２を縫い付けて固着させ、温浴タオルを作成した。あかすり布２の縫いつけ方としては、ニット用ミシン糸（＃５０、２コード）を使用している。【選択図】図１
2009112742.tif 000002
【特許請求の範囲】
【請求項１】
この温浴タオルの形状は、布面に輪奈を出した織物布（綿１００パーセント）を使用し、Ｗ８４０ｍｍ×Ｈ３４５ｍｍ×厚み２ｍｍにて作成し、表面にあかすり布材（Ｗ２７０ｍｍ×Ｈ２９０ｍｍ×厚み１ｍｍポリエステル８０パーセント＋ナイロン２０パーセント、耐熱温度９５℃／材質）を表面に縫い付けて、固着させた形状である。縫いつけ方としては、ニット用ミシン糸（＃５０、２コード）を使用している。
（温泉施設や旅館、銭湯、ホテル、すべての温浴施設に対応できる洗顔、体拭き、あかすり両用できるタオルとして利用する商品である。）
【請求項２】
温泉施設、旅館、銭湯、ホテル、すべての温浴施設に対応している場所であれば、何処でも利用できる商品であり、外寸は、Ｗ８４０ｍｍ×Ｈ３４５ｍｍ×厚み３ｍｍの布面に輪奈を出した織物布＋あかすり布となる。
重さ７０ｇ±５ｇの一般的に持ち歩ける形状である。
【請求項３】
この温浴タオルの形状は、布面に輪奈を出した織物布（綿１００パーセント）を使用し、Ｗ８４０ｍｍ×Ｈ３４５ｍｍ×厚み２ｍｍにて作成し、表面にあかすり布材（Ｗ２７０ｍｍ×Ｈ２９０ｍｍ×厚み１ｍｍポリエステル８０パーセント＋ナイロン２０パーセント、耐熱温度９５℃／材質）を表面に縫い付けて、固着させた形状である。縫いつけ方としては、ニット用ミシン糸（＃５０、２コード）を使用している。表面の布地の中心に  あかすり材を固着しているので、拭き取り時に肌傷になりにくい形状としたタオルである。
【請求項４】
この温浴タオルの形状は、布面に輪奈を出した織物布（綿１００パーセント）で、軽量性を考慮に入れ、７０ｇ±５ｇとしている。
【発明の詳細な説明】
【技術分野】
【０００１】本考案は、温浴施設においての体を拭き取るあるいは、洗顔をするタオルにあかすり機能を持たせ、両立させ、少しでも軽量化、利便性を良くした商品を欲しい方にに関する商品。
【背景技術】
【００２】従来このタオルとは、体を拭き取り、洗顔、体洗いを前提としてきている。しかし、本考案の温浴タオルは、簡単に持ち歩きすることが出来て、従来の機能もさることながら、あかすりという別の利用方法も備えた機能つきの温浴タオルである。
もちろん、室外、屋外にて利用できる温浴タオルである。
【発明の開示】
）
【考案が解決しようとする課題】
【０００３】従来技術に関しての問題は、布面に輪奈を出した織物布（綿１００パーセント）を使用して出来ている商品はありますが、利用形態は、洗顔、体洗い、体拭き取りの機能だけがほとんどである。
あかすり機能付きに関しては、やわらかすぎて出来ないという問題がある。
【課題を解決するための手段】
【０００４】  温泉施設や旅館、銭湯、ホテル、すべての温浴施設に対応できる洗顔、体拭き、体洗い、あかすりができる温浴タオルとして利用する商品である。
そして、軽量性を考慮に入れ、片手で持ち歩き、７０ｇ±５ｇとしている商品である。
【考案の効果】
【０００５】この温浴タオルの形状は、布面に輪奈を出した織物布（綿１００パーセント）を使用し、Ｗ８４０ｍｍ×Ｈ３４５ｍｍ×厚み２ｍｍにて作成し、表面にあかすり布材（Ｗ２７０ｍｍ×Ｈ２９０ｍｍ×厚み１ｍｍポリエステル８０パーセント＋ナイロン２０パーセント、耐熱温度９５℃／材質）を表面に縫い付けて、固着させた形状である。縫いつけ方としては、ニット用ミシン糸（＃５０、２コード）を使用している。表面の布地の中心に  あかすり材を固着しているので、拭き取り時に肌傷になりにくい形状としたタオルである。そして、持ち運びも、移動も楽で、本考案の温浴タオルは独自の技術により、あかを取る機能を有している。
【発明を実施するための最良の形態】
【０００６】考案を実施するための形態は  布面に輪奈を出した織物布（綿１００パーセント）を使用し、独自のあかすり布（Ｗ２７０ｍｍ×Ｈ２９０ｍｍ×厚み１ｍｍポリエステル８０パーセント＋ナイロン２０パーセント、耐熱温度９５℃／材質）を作成し、固着させている。本考案の温浴タオルの幅は、一般温浴タオルと同等品Ｗ８４０ｍｍ×Ｈ３４５ｍｍ×厚み２ｍｍとし両立化に伴い、軽量化であり、肌拭きにも支障のない様に固着作成、ほとんどのあかすり使用にも対応できるように作成。重さは、手持ちにて気軽にもてるように７０ｇ±５ｇとしている。
【実施例】
【０００７】  温泉施設や旅館、銭湯、ホテル、すべての温浴施設に所持し利用すると、一般的に、温浴タオルとあかすり布を二枚両方に持ち歩かなければならないが、本考案の温浴タオルは両方の利用方法に対応できるので、一枚（７０ｇ±５ｇ）持ち歩くだけなので便利である。
【産業上の利用可能性】
【０００８】産業上の利用方法としては、介護支援センターなどのデイサービスにもおけ、体拭きだけでない為、あかすり機能を必要としている各施設での利用が考えられる。
【図面の簡単な説明】
【０００９】
【図１】平面図
【図２】正面図
【図３】側面図
【符号の説明】
【００１０】▲１▼は布面に輪奈を出した織物布を表わす。
▲２▼はあかすり布（Ｗ２７０ｍｍ×Ｈ２９０ｍｍ×厚み１ｍｍポリエステル８０パーセント＋ナイロン２０パーセント、耐熱温度９５℃／材質）を表わす。
▲３▼は固着用縫いつけ方、ニット用ミシン糸（＃５０、２コード）の部分
▲４▼はあかすり布を固着させた位置を表わす。
【図１】
2009112742.tif 000003
【図３】
2009112742.tif 000004
【手続補正書】
【提出日】平成20年1月28日(2008.1.28)
【手続補正１】
【補正対象書類名】図面
【補正対象項目名】全図
【補正方法】変更
【補正の内容】
【図１】
2009112742.tif 000005
【図２】
2009112742.tif 000006
【図３】
2009112742.tif 000007
(57)【要約】【課題】    野球のバッティングにおける下半身の使い方は、専用の練習具がない為、習得が難しいという不都合を解決すること。【解決手段】    両端に曲面を設けたバッティング練習用クッションにより、この課題を解決する。【選択図】図１
2009112758.tif 000002
【特許請求の範囲】
【請求項１】
両端に曲面を設けたことを特徴とする、野球のバッティング練習用クッション。
【発明の詳細な説明】
【技術分野】
【０００１】  本発明は、野球のバッティング練習をする際、膝上から腿にかけて挟んで使用し、バットスイング時における理想的な下半身の使い方を習得するための、バッティング練習用クッションである。
【背景技術】
【０００２】  関連する文献についてはわかりません。
【発明の開示】
【発明が解決しようとする課題】
【０００３】  従来、このような練習方法はあまり知られておらず、また、ゴムボールなどを代用した場合、球体のため不安定で、両足で挟むことが困難であり、バッティングの技術向上にむすびつかない。本発明は、野球のバッティングにおける下半身の使い方は、習得が難しいという不都合を解決することを課題とする。
【課題を解決するための手段】
【０００４】  この課題を解決するための請求項１の発明は、クッションの両端に曲面を設けたことを特徴とする、野球のバッティング練習用クッションである。両端の曲面の部分を両足で挟み、落とさずにバットスイングをすることにより、バッティングの際の理想的な下半身の使い方を習得できる。
【発明の効果】
【０００５】  本発明により、バッティングにおける理想的な下半身の使い方を、より分かり易く、短期間で習得することができる。【０００６】  また、本発明は、ソフトボールの打撃練習にも利用可能である。
【発明を実施するための最良の形態】
【０００７】  図１は、本発明の全体図である。同図に示すように、両端に設けられた曲面により、両足で挟む際に安定し、より効果的なバッティング練習ができる。【０００８】  このバッティング練習用クッションの材料は、軽量で適度な弾力のあるものがよい。
【産業上の利用可能性】
【０００９】  本発明に係るバッティング練習用クッションは、工業的に量産が可能であり、産業上の利用可能性を有する。
【図面の簡単な説明】
【００１０】
【図１】  両端に曲面を設けたバッティング練習用クッションの全体図。
【図２】  図１を上から見た図。
【符号の説明】
【００１１】  １  クッションの両端に設けた曲面
【図１】
2009112758.tif 000003
【図２】
2009112758.tif 000004
(57)【要約】【課題】  ボールベアリングを使い，転がり抵抗とし摩耗を減少させる。【解決手段】  人工骨頭の外輪にあたる（４）と内輪にあたる（７）の間に，ボールベアリング（１）（２）（３）を入れて，転がり抵抗とし摩耗を減少させる。【選択図】図１
2009112755.tif 000002
【特許請求の範囲】
【請求項１】
人工骨頭の外輪（４）と内輪（７）の間にボールベアリング（１）（２）（３）を設けた，人工股関節。
【発明の詳細な説明】
【技術分野】
【０００１】  この発明は，ボールベアリングを使用した人工股関節に関するものである。
【背景技術】
【０００２】  従来，人工股関節は，骨頭は，摺動面だけであった。
【発明の開示】
【発明が解決しようとする課題】
【０００３】  これは，次のような欠点があった。
従来，人工股関節は，骨頭は，摺動面だけであった。その為にポリエチレンを使用すると，ポリエチレンの摩耗粉粉が発生して，免疫異物反応で緩みの原因となり，加重部に摩耗が生じる，金属を使うと，摩耗は少ないが金属粉の，生態への悪影響も，懸念されている。
本発明は，以上のような欠点を減らす為になされた物である。
【課題を解決するための手段】
【０００４】  ボールベアリング（１）（２）（３）を使用して，摩耗を減らす事が，約３０度迄のものならできる。
しかし，本発明はボールベアリングも使用するが，
人工骨頭の外輪（４）と人工臼蓋（６）との摺動も必要とする。
約３０度を越える，屈曲や外転に於いて，ボールベアリングの作動とは成らずに，人工骨頭の外輪（４）と人工臼蓋（６）との摺動と成る。
ボールベアリング（３）とボールベアリングの脱落防止ストッパー（１２）とが当たり摺動となる。人工骨頭の外輪（４）と人工骨頭側のステム頚部が当たる場合もである。
本発明は，以上の構成よりなるボールベアリングを使用した人工股関節である。
【発明の効果】
【０００５】  荷重部が，ボールベアリング（１）（２）（３）への負荷と成って居るので，摺動面の場合よりも摩耗を減らす事ができる。
しかし約３０度を越える屈曲と外転等は，外輪にあたる（４）と人工臼蓋（６）の間の摺動と成る。
歩行の場合の加重は，屈曲伸展は約３０度を越えない為にボールベアリング（１）（２）（３）により転がり抵抗に出来る。
階段歩行に於いては，１段ずつの歩行で，屈曲が約３０度を越えない程度のものならばボールベアリング（１）（２）（３）により転がり抵抗にできる。
トイレ等の蹲踞姿勢は，屈曲が約３０度を越えると，加重のかかる摺動抵抗となる。
相撲の「しこ踏み」では外転，屈曲で３０度を越えると，加重のかかる摺動抵抗となる。
【発明を実施する為の最良の形態】
【０００６】  以下，本発明を実施する為の最良の形態について説明する。
図１はその正面断面図
人体を正面から見た左側の股関節の立位の状態
外寄りから内寄りに順に説明すると，
人体の臼蓋の場所に入れる人工臼蓋（６）で，円の中心は（ａ）
人工骨頭側の外輪（４）の人工臼蓋（６）に接する側の円の中心も（ａ）
人工骨頭側の外輪（４）のボールベアリング（１）（２）（３）に接する側の円の中心は（ｂ）つまり人工骨頭側の外輪（４）は中央は薄く，周辺程厚くして在るが，薄い部分を加重の中心に行かせる為であるが，製造困難ならば均一の厚さでも構わない。
ボールベアリング（１）（２）（３）は，中心用（１）よりは，周辺用（２）さらに（３）の方が径が大きい。ボールベアリングへの加重時に中心を，中心用（１）付近にする為である。
ボールリテイナー（５）の，円の中心は（ｃ）
人工骨頭側の内輪（７）の円球の円の中心は（ｄ）
人工骨頭のステム（９）は，頚部に於いて，外転時に人工骨頭側の外輪（４）との，当たりを，約３０度外転迄は避けたい為に，屈曲（１０）としてある。
人工骨頭の頭部分へのステムの頚部挿入部（１１）は差し込み式として居る。
図２は，その側面断面図
人体を左側面から見た左側の股関節の立位の状態
立位に於いて，人工骨頭のステム（９）の長軸は，人工臼蓋（６）に対してほぼ垂直の位置にある。説明の為ボールベアリング（１）は骨頭の頂点の位置の時としている。
図３は，ボールベアリング（１）（２）（３）を，骨頭の上部から見ている状態，
ボールベアリング（１）を，中心に１個使用，
ボールベアリング（２）を，その周辺に４個使用，
ボールベアリング（３）を，そのさらに周辺に４個使用，として居るが説明しやすくする為であり，周辺程ボールベアリング径が大きければ良いのであり，個数の制限は無い。
【図面の簡単な説明】
【０００７】
【図１】本発明の正面断面図である。
【図２】本発明の側面断面図である。
【図３】本発明のボールベアリングの配置を頭部より見た図である。
【符号の説明】
【０００８】１    ボーールベアリングの小径のもの
２    ボーールベアリングの中径のもの
３    ボーールベアリングの大径のもの
４    人工骨頭側の外輪
５    ボールリテイナー
６    人工臼蓋
７    人工骨頭側の内輪
８    大腿骨
９    人工骨頭側のステムの柄
１０  人工骨頭側のステムの屈曲した部分
１１  人工骨頭の頭部分へのステムの頚部挿入部
１２  ボーールベアリングの脱落防止ストッパー
ａ    人工臼蓋の円の中心，人工骨頭側の外輪（７）の人工臼蓋に接する円の中心
ｂ    人工骨頭側の外輪（７）の，ボールベアリングに接する円の中心
ｃ    ボールリテイナーの，円の中心
ｄ    人工骨頭側の内輪（７）の，円の中心
【図１】
2009112755.tif 000003
【図２】
2009112755.tif 000004
【図３】
2009112755.tif 000005
【手続補正書】
【提出日】平成19年12月15日(2007.12.15)
【手続補正１】
【補正対象書類名】図面
【補正対象項目名】全図
【補正方法】変更
【補正の内容】
【図１】
2009112755.tif 000006
【図２】
2009112755.tif 000007
【図３】
2009112755.tif 000008
(57)【要約】      （修正有）【課題】携帯に便利な葬祭用打道具を提供する。【解決手段】柄１の一部を刳り貫き木魚の変わりになる柄１とその先端に印金２を取り付けたものである。したがって柄１に沿って、木魚と印金２を一直線上に配置することで、嵩張りをなくし携帯に便利な物となる。柄１の先端に取り付けられた印金２と、柄１を刳り貫き、側面に穴を開けた木魚と、柄に収納可能なリン棒３を備え、かつ印金２と木魚が柄１に沿って一直線上に配置されるようにしている。【選択図】図１
2009112760.tif 000002
【特許請求の範囲】
【請求項１】
柄の先端に取り付けられた印金と、柄の一部を刳り貫いた木魚とリン棒を備え、かつ前記印金と木魚とは前記柄に沿って一直線上に配置されていることを特徴とする葬祭用打道具。
【請求項２】
上記葬祭用打道具で刳り貫いた柄の内部にリン棒を収納することを特徴とする葬祭用打道具。
【請求項３】
前記木魚の殴打時、安定した打音を鳴らす為の手法
【発明の詳細な説明】
【技術分野】
【０００１】従来、１本の柄に印金と木魚を取り付けた葬祭用打道具がある（実開昭６０−６１９４号公報）。この葬祭用打道具を図４に示す。この葬祭用打道具は、左右に分岐する金属線材１０２，１０３を柄１０１の先端面に取り付け、一方の金属線材１０２の先端に印金（鈴）１０４を、他方の金属線材１０３の先端に木魚１０５を固着している。これにより、印金１０４と木魚１０５（あるいは木柾）を左右に並べて配置している。また、柄１０１の先端部には装飾補強金具１０６が取り付けられている。
【背景技術】
【０００２】葬祭用打道具では、柄１０１の先に印金１０４と木魚１０５を左右に並べて配置しているので、重量も重く、嵩張り携帯に不便であった。
【発明の開示】
【発明が解決しようとする課題】
【０００３】携帯に便利な葬祭用打道具を提供することを目的とする。
【課題を解決するための手段】
【０００４】かかる目的を達成するために請求項１記載の葬祭用打道具は、図１の様に柄の一部を刳り貫き木魚の変わりになる柄とその先端に印金を取り付けたものである。したがって柄に沿って、木魚と印金を一直線上に配置することで、嵩張りをなくし携帯に便利な物となる。【０００５】請求項１記載の葬祭用打道具は、図４金属線材１０２，１０３が不要になり、柄の内部も空洞となる為、従来の物より軽量化され、携帯に便利な物となる。【０００６】さらに請求項２記載の刳り貫いた柄の内部にリン棒を収納することで、図３ように、さらに嵩張りをなくし携帯に便利な物となる。【０００７】請求項３の安定した音を鳴らす為の穴の開け方は、図２に示す空気穴▲１▼▲２▼▲３▼の通りである。【０００８】また請求項３の安定した音を鳴らす為の手法としては、図２に示す殴打する位置と柄の刳り貫き部分の太さ、空気穴▲１▼の長さ、空気穴▲２▼の大きさ、空気穴▲３▼の太さ長さと４木魚の殴打部分の位置を変更することで、殴打時に外部に漏れる空気振動を調整し、音の高さと響きを調整できる。
【図面の簡単な説明】
【図１】本考案を適用した葬祭用打道具の正面図である。
【図２】同葬祭用打道具の側面図である。
【図３】同葬祭用打道具の断面図である。
【図４】従来の葬祭用打道具の正面図である。
【符号の説明】
１  柄
２  印金
３  リン棒
４  木魚の殴打部分
【図１】
2009112760.tif 000003
【図２】
2009112760.tif 000004
【図３】
2009112760.tif 000005
【図４】
2009112760.tif 000006
(57)【要約】【課題】  石鹸入れは、水はけが悪い為、使用した石鹸が濡れて常時ベトついていた。更に水受け付の石鹸入れは、溜まった水溶液を蓋を開けて捨てなければならなかった。【解決手段】  石鹸受け部の底に水溶液を透過する孔を設け、その下部に落下した水溶液を溜める水溶液受け部が形成されている。【選択図】図１
2009112756.tif 000002
【特許請求の範囲】
【請求項１】
上部の開放された石鹸受け部の底部に水溶液を透過する透孔が開設され、前記透孔の更に下部に落下した前記水溶液を貯める水溶液受け部が一体的に設けられており、前記水溶液受け部に排出口が設けられており、前記水溶液受け部に貯められた水溶液は前記排出口から排出し得る様に構成された石鹸収納容器。
【発明の詳細な説明】
【技術分野】
【０００１】  本発明は、石鹸収納容器に石鹸を立てて入れ、水溶液を底で受け水溶液を簡単に捨てられ石鹸がベトつかず快適に使える石鹸収納容器である。
【背景技術】
【０００２】  従来の石鹸入れは、水はけが悪い為、使用した石鹸が、ぬれて常時ベトついていた。水受け付きの石鹸入れは、溜まった水溶液を蓋を開けて捨てなければならなかった。
【発明の開示】
【発明が解決しようとする課題】
【０００３】  そこで、本発明は、上記の問題点を解決する為、石鹸受け部の底面に透孔を設け、透孔の下方に水溶液受けを一体的に設け溜まった水溶液は容器を傾斜させるだけで簡単に捨てられる構造である。
【課題を解決する為の手段】
【０００４】  上部の開放された石鹸受け部の底部に水溶液を透過する透孔が開設され、前記透孔の更に下部に落下した前記水溶液を貯める水溶液受け部が一体的に設けられており、前記水溶液受け部に排出口が設けられており、前記水溶液受け部に貯められた水溶液は前記排出口から排出し得る様に構成された石鹸収納容器である。
【発明の効果】
【０００５】  本発明の容器は場所をとらず、小さなスペースにも置くことが出来、石鹸を立てて収納するので水溶液の落下が早く、石鹸を常に乾燥した状態に保つ事が出来、石鹸が小さく薄くなってもベトつかず清潔に使用する事が出来る。
【発明を実施するための最良の形態】
【０００６】  本発明の水溶液受け付き石鹸収納容器は石鹸を容易に取り出せる様、容器の背面の上部中央を大きく、くり抜き、更に石鹸が容器に接する部分を最小にする為、突起を設け（形状は丸、四角、花型など厚さき２〜５ミリまで巾は１センチぐらいでよい）、底面に透孔を設け（孔は縦長だったら５ミリ巾で３〜５コ、丸だったら６〜８コ）、透孔の下方に水溶液受け部を設けた。容器の背面下方に容器を安定支持する為の脚用突起を設けた。尚、この脚用突起は横長に１本でも、丸棒２本でもよい。
【実施例】
【０００７】  実施例について図面を参照して説明する。
図１、図２及び図３に示すように、石鹸収納容器１は、石鹸受け部２、水溶液受け部３と脚用突起４により構成されている。石鹸受け部２の背面の上部中央は石鹸８を容易に取り易くするために大きくくり抜かれている。又、石鹸８が容器に接する部分を最小にするために石鹸８が容器と接する部分に突起５を４つ設けている。更に水溶液を通過するための透孔６を石鹸受け部２の底面に複数個設けている。
尚、石鹸受け部２の左右２ａ，２ｂは前方に湾曲し石鹸が横に滑り落ちない様にしている。突起５は４個に限らず２個でも良く、数に限定されない。【０００８】  石鹸受け部２の下に水溶液受け部３を設け、石鹸受け部２に設けた透孔６を通過して落ちてくる水溶液を水溶液受け部３で受け、水溶液を溜める。溜まった水溶液は水溶液受け部３に設けた排出口７より排出する。【０００９】  石鹸収納容器１の背面下部に脚用突起４を２本設けている。脚用突起４は図２、図３示すように丸棒の構成であるが、四角でも三角でもよく形状に限定されない。脚用突起４は、１本を横に設けた構成でもよく、本実施例の構成に限定されない。【００１０】  本実施例においては、本発明の石鹸収納容器１は陶磁器で説明しているが、ガラス、セラミック、プラスチック、水に錆びない金属などで製作出来る。底面の透孔６は石鹸８が水溶液受け部に落下しない程度の縦長の、四角、丸にしても良い。上部を動物の耳とか顔に見たてて作れば楽しいし、上部左右に孔を設けて吊るす事も出来る。【００１１】  此の容器の底面の水溶液受け部３に小さなスポンジを入れておけば石鹸溶液を吸収しているので、取り出して洗面台を洗う事が出来る。
【図面の簡単な説明】
【００１２】
【図１】  石鹸収納容器の実施例の正面図
【図２】  石鹸収納容器の実施例の上面図
【図３】  石鹸収納容器の実施例の斜視図
【符号の説明】
１    石鹸収納容器
２    石鹸受け部
３    水溶液受け部
４    脚用突起
５    突起
６    透孔
７    排出口
８    石鹸
【図１】
2009112756.tif 000003
【図２】
2009112756.tif 000004
【図３】
2009112756.tif 000005
(57)【要約】【課題】この発明は、生および冷凍の牡蠣において、過熱蒸気を用いて焙焼し、食あたり等の原因を除去することを防止することは、当然のことでありながら、さらに、解凍後の型崩れや外観、風味等の品質の向上を目的とする，趣のかわった、購買意欲をそそる牡蠣の製造方法を開発・提供することにある。【解決手段】牡蠣供給機（１）で、網状あるいは格子状のトレー（Ｙ）に、生あるいは冷凍された牡蠣のむき身（Ｘ）を並べ、これを過熱蒸気式焼機（２）で牡蠣のむき身（Ｘ）を焙焼し、次に、ガスバーナー等を備えた炙り機（３）で、過熱蒸気で焙焼された牡蠣のむき身の各表面を炙り、これをスチールベルト式トンネルフリーザー（４）によって凍結するものである。【選択図】      図１
2009112210.tif 000002
【特許請求の範囲】
【請求項１】
牡蠣のむき身を、過熱蒸気を用いて加熱する工程と、過熱蒸気を用いて加熱した後に、牡蠣のむき身の表面を炙り機で炙る工程と、表面を炙られた牡蠣をフリーザーを通して凍結する工程との組み合わせからなることを特徴とする炙り牡蠣の製造方法。
【発明の詳細な説明】
【技術分野】
【０００１】
この発明は、炙り牡蠣の製造方法に関するものである。
【背景技術】
【０００２】
従来、牡蠣は、むき身を冷凍して保存されていた。しかし、近年、冷凍保存をする前に、生の牡蠣を過熱蒸気を用いて加熱することで焙焼する製造方法が開示されている。例えば、特許文献１および２のように。
【特許文献１】特開２００３−３３９３５６号公報
【特許文献２】特開２００４−３２１０１８号公報
【０００３】
その目的は、過熱蒸気を用いるのは、食あたりを起こす原因として、生の牡蠣に蓄積された海洋由来の小型球型ウイルス（ＳＲＳＶ）、ノロウィルス、大腸菌等が考えられ、これらを死滅する温度以上で焙焼することである。
【０００４】
さらに、過熱蒸気を用いて焙焼することにより、牡蠣を食あたり等の衛生面での目的や、冷凍牡蠣を解凍した場合に、多量の水分、油分、栄養分が流出し、解凍後、牡蠣が型崩れが生じ、それにより外観、風味等の品質低下が生ずることを防止するものであった。
【０００５】
しかし、このように過熱蒸気による直接加熱によって、生の牡蠣をある程度、固化させて、解凍後の多量の水分、油分、栄養分の流出を防止し、形くずれを防止する事ができた上に、飽食と呼ばれる昨今、さらに、衛生面で安全な手だてが施された上に、外観や触感、風味のよい牡蠣の開発が求められている。
【発明の開示】
【発明が解決しようとする課題】
【０００６】
そこで、この発明は、生および冷凍の牡蠣において、過熱蒸気を用いて焙焼し、食あたり等の原因を除去することを防止することは、当然のことでありながら、さらに、解凍後の型崩れがなく、また、外観、風味等の品質の向上を目的とする，趣のかわった、購買意欲をそそる牡蠣の製造方法を開発・提供することにある。
【課題を解決するための手段】
【０００７】
この発明による課題を解決するための手段としては、従来とおり、過熱蒸気により加熱し、さらに、その後、牡蠣の表面に焼き色を付けることにより、食欲をそそり、購買意欲の増大も図ることのできる牡蠣の製造方法に関するものである。
【発明の効果】
【０００８】
この発明によると、過熱蒸気を用いることにより、低酸素状態で加熱処理されるため、油やビタミンＣの酸化・褐変を抑えることができる。
【０００９】
また、牡蠣の表面に大量の熱が直接当たるため、表面殺菌の効果が大きく、牡蠣内部の熱ダメージを防ぐことができる。
【００１０】
さらに、焙焼された牡蠣の表面をガスバーナーによって炙ることにより、従来の牡蠣にない、見た目に趣の変わった牡蠣が製造でき、購買意欲をそそる牡蠣を提供できる等極めて有益なる効果を奏するものである。
【発明を実施するための最良の形態】
【００１１】
以下、この発明の好適な実施の形態については、牡蠣のむき身を、過熱蒸気を用いて加熱する工程と、この加熱された牡蠣のみき身の表面をバーナーで炙る工程と、表面を炙られた牡蠣を冷凍する工程との組み合わせからなることを特徴とする炙り牡蠣の製造方法である。
【実施例】
【００１２】
次に、この発明の第一の発明の一実施例を図１及び図２に基づいて詳述すると、牡蠣供給機（１）で、網状あるいは格子状のトレー（Ｙ）に、生あるいは冷凍された牡蠣のむき身（Ｘ）を並べ、これを過熱蒸気式焼機（２）で牡蠣のむき身（Ｘ）を焙焼し、次に、ガスバーナー等を備えた炙り機（３）で、過熱蒸気で焙焼された牡蠣のむき身の各表面を上または下、あるいは上下両面を炙り、この炙られた牡蠣をスチールベルト式トンネルフリーザー（４）によって凍結するものである。
【００１３】
そして、牡蠣のむき身（Ｘ）は、生の牡蠣、あるいは冷凍した牡蠣のいずれであってもよい。要するに両方が含まれるものであり、トレー（Ｙ）あるいはスチールコンベア等で搬送されるものである。
【００１４】
過熱水蒸気式焼機（２）は、圧力を上げずに、１００°Ｃ〜４５０°Ｃの過熱水蒸気を発生させ、牡蠣に当てて焙焼することにより電気焼成の１０倍の熱効率で焼成できる。
【産業上の利用可能性】
【００１５】
この発明である炙り牡蠣の製造方法の技術を確立し、実施・販売することにより、産業上利用できるものである。
【図面の簡単な説明】
【００１６】
【図１】この発明の一実施例を示す説明図である。
【図２】この発明の一実施例を示す説明図である。
【符号の説明】
【００１７】
１  牡蠣供給機
２  過熱蒸気式焼機
３  炙り機
４  スチールベルト式トンネルフリーザー
Ｘ  牡蠣のむき身
Ｙ  トレー
【図１】
2009112210.tif 000003
【図２】
2009112210.tif 000004
(57)【要約】      （修正有）【課題】従来の動力を使わない給水器は給水口を地中に埋没させ毛細管現象を利用して連続的に給水するために、しみ出させる水の量の調節が難しかった。１日あたりの給水量を大まかに設定し、滴下して給水する給水器を提供する。【解決手段】ペットボトルに代表されるような密閉された容器のキャップに細いチューブ２を密着させて通し、容器１内に水を入れ、チューブ２の一端を容器１内の水中に没してキャップをしっかり締める。この装置を給水場所に設置する。容器１に日光が当たること、または、外気温の上昇に伴い容器１内の気温が上がると、容器１内の空気が膨張して、その圧力により水がチューブ２から押し出さてチューブ４の先端から滴下する。１日に押し出される水の総量は設置時に容器１内に入っていた空気の体積と容器内気温の日較差によって決まる。【選択図】図１
2009112290.tif 000002
【特許請求の範囲】
【請求項１】
密閉された容器内の空気の温度が上昇して膨張したことによる圧力で容器内の水を水中に一端を没したチューブを通じて給水する装置。
【請求項２】
密閉されたペットボトル内の空気の温度が上昇して膨張したことによる圧力でペットボトル内の水を水中に一端を没したチューブを通じて給水することを可能とするペットボトルのチューブ付キャップ。
【発明の詳細な説明】
【技術分野】
【００１】  本発明は、ペットボトルに代表されるような密閉された容器内の空気の温度が太陽熱により上昇して膨張したことによる圧力で容器内の水を一端が水中に没したチューブを通じて給水する装置に関するものである。
【背景技術】
【００２】  従来から、ペットボトルを逆さにして水圧を利用してキャップ部に特殊な工夫を施した植物への給水器が特許文献１に開示されている。また、毛細管現象を利用した植物への給水器としては特許文献２が開示されている。
【特許文献１】登録実用新案第３０４０５６０号
【特許文献２】登録実用新案第３０３７６５６号
【発明の開示】
【発明が解決しようとする課題】
【００３】  従来の動力を使わない給水器は給水口を地中に埋没させ毛細管現象を利用して給水するために、陽差しとは関係なく連続的に行われていた。また、給水口からしみ出させる水の量の調節が難しかった。本発明は動植物が水を欲する陽差しの強い陽にたくさん給水し、１日あたりの給水量を大まかに設定して給水し、滴下して給水することを課題とする。
【課題を解決するための手段】
【００４】  この課題を解決するための請求項１の発明は、ペットボトルに代表されるような容器のキャップに細いチューブを密着させて通し、容器内に水を入れ、チューブの一端を容器内の水中に没してキャップをしっかり締める。【００５】  この装置を給水場所に設置する。容器に日光が当たること、または、外気温の上昇に伴い容器内の気温が上がると、容器内の空気が膨張して、その圧力により水がチューブから押し出さてチューブの先端から滴下する。１日に押し出される水の総量は設置時に容器内に入っていた空気の量と気温の日較差によって決まる。
【発明の効果】
【００６】  本発明により、灌漑設備のない場所で本装置を直射日光を避けて設置することで動植物に１日あたりの給水量を設定して無人で給水することができる。【００７】  本装置を１日中直射日光の当たる場所に設置することにより、雲が発生して陽が陰った後で、再度陽が差す度に給水することになるので、１日に複数回の給水をすることができる。【００８】  また、都市部においてこの設置方法をとることにより夏季の打ち水装置として利用できる。
【発明を実施するための最良の形態】
【００９】  図１はチューブを１つ付けたものである。チューブの本数だけ給水できるので、容器の大きさと給水量との兼ね合いでチューブの本数は任意である。ただし、チューブを複数にしたときのそれぞれの給水量は１本の場合の本数分の１になる。
【産業上の利用の可能性】
【０１０】  本発明は家庭やオフィスなどの観葉植物等の水やりだけでなく農業や林業での苗への水やり装置として、また、都市部においては夏季の打ち水装置としても幅広く利用できる。そして、太陽エネルギーだけをエネルギー源とする装置であるので環境に優しい取り組みが求められている社会の要求に合致して産業上の利用の可能性は高い。
【図面の簡単な説明】
【０１１】  図１はチューブを１つ付け、水を３分の１程度入れた装置全体の概略断面図である。
【符号の説明】
【０１２】  １      密閉された容器
２      チューブ
３      空気
４      水
【図１】
2009112290.tif 000003